(57)【要約】
【課題】発光ダイオードの定位を確実にし、且つ湿気や塵が内部に入り込むのを効果的に防止するべく、ユニバーサルシリアルバスを具える携帯型ストレージ装置を提供する。
【解決手段】穿孔３２１が設けられた外殻３２，該外殻３２と連結されるキャップ３１，並びにストレージ回路板３３１と発光ダイオード３３２とユニバーサルシリアルバス３３３を備えるストレージユニット３３より構成し、該ストレージユニット３３を該キャップ３１と外殻３２とによって形成される内部空間に収容し、更に該発光ダイオード３３２上には内カバー３５を設け、該外殻３２の穿孔３２１上には外カバー３４を設け、該外カバー３４と内カバー３５とを相互に組み合わせることで構造を湿気や塵より保護する。
【選択図】    図５
0003101294.tif 000002
【実用新案登録請求の範囲】
【請求項１】
主に外殻とストレージユニットとより構成される携帯型ストレージ装置において、
外カバーが設置されるべく穿孔が設けられており、且つキャップが連結される該外殻と、ストレージ回路板，内カバーが設けられる発光ダイオード，ユニバーサルシリアルバスを具有し、該外殻とキャップとによって形成される内部空間内に設置される該ストレージユニットと、を具有し、
該外カバーと内カバーとが相互に連結されることにより、水や湿気、塵などが内部に入り込むのを防止し、同時に該発光ダイオードを見えやすく且つ確実に定位していることを特徴とするユニバーサルシリアルバスを備える携帯型ストレージ装置。
【請求項２】
該発光ダイオードは該内カバー内に設置され、且つ該内カバーは該ストレージ回路板上に嵌設されて固定されていることを特徴とする請求項１記載のユニバーサルシリアルバスを備える携帯型ストレージ装置。
【考案の詳細な説明】
【技術分野】
【０００１】
本考案はユニバーサルシリアルバスを備える携帯型ストレージ装置に係り、特にストレージユニットの発光ダイオード上に設けられた内カバーが設置と、外殻の穿孔上に設けられた外カバーとを組み合わせることにより、湿気や塵が内部装置へ進入するのを防止するとともに、発光ダイオードが見やすいユニバーサルシリアルバスを備える携帯型ストレージ装置に関わる。
【背景技術】
【０００２】
コンピュータ技術が急進歩し演算能力が強化される中、ストレージに関わる需要が高まっている。コンピュータ間のデータ伝送においては、ネットワークでデータ伝送を行うほか、ＭＯ（Magneto optical）によって繰り返し書き込みのできる形式でのデータ伝送と保存を行う方法がある。しかしこのようなストレージ装置においては、使用上の便利性が劣ることが原因となって、普及が滞っている。またデータを光ディスク上に保存することにおいては、繰り返し読み取りと書き込みが行えないことが欠点となり、且つデータの焼きこみを行う際に時間を取ることから、迅速性にかけることがいえる。
【０００３】
そこでユニバーサルシリアルバス（USB）インターフェイスが盛んに使用されているが、これはチップやハードによって容量の増大と体積の小型化が進んでいるためである。現在市場で普及している携帯型のストレージ装置には、データの伝送と保存の機能を具えると同時に、スピーディーに使用でき、また体積が小さいといった多くの利点がある。一般に言われる携帯型のストレージ装置には、さまざまな外観的設計があるが、データの保存や読み取りの過程において正常に働いているかどうかの目安になる発光ダイオード（LED）が設けられており、稼動中であるのに抜き取ってしまうことにより装置の寿命を縮めるのを防止している。更に具体的に説明すると、図１，２に示すように、公知における携帯型ストレージ装置１２には、外殻１１上に穿孔１１１が設けられており、該ストレージ装置１２上に設けられた発光ダイオード１２１は該穿孔１１１中に収容されている。
【特許文献１】特開２００３−１５０５３１号公報
【考案の開示】
【考案が解決しようとする課題】
【０００４】
しかし上述のような公知におけるストレージ装置においては、該発光ダイオード１２１と該穿孔１１とは密接していないことから、湿気や塵などが該穿孔１１１より該外殻１１とキャップ１３との間に入り込み、該ストレージ装置１２に破損を来たしやすいことが言える。該発光ダイオード１２１は該穿孔１１１内に直接収容されているため、該発光ダイオード１２１が確実に定位されず、外力によって移動してしまい、位置がずれれば使用者にとって該発光ダイオード１２１が見にくくなってしまう。また該穿孔１１１は該発光ダイオード１２１に合わせた口径を具有するが、この設計では該穿孔１１１と発光ダイオード１２１とを組み立てるのに時間がかかってしまう。更には、該穿孔１１１の内壁１１１aと発光ダイオード１２１間にはまだ隙間１１２が存在することより、塵などが該隙間１１２中に挟まると該発光ダイオード１２１の光を遮って更に照度を落とし、該ストレージ装置の正常な稼動状況を知ることができなくなってしまう。
【０００５】
更に図３，４に示すように、もう一つの公知におけるストレージ装置においては、外殻２１の穿孔２１１上に透明のチップ２４が設けられており、ストレージユニット２２上の発光ダイオード２２１は該穿孔２１１内に設けられるようになっている。該チップ２４が該穿孔２１１内に外から加えられる方式で設けられていることから、塵が該外殻２１とキャップ２３の間に進入するのを防止しているが、上述同様に該発光ダイオード２２１の定位の問題においては解決されていない。
そこで発光ダイオードの定位を確実にし、且つ湿気や塵が内部に入り込むのを効果的に防止するべく、本考案のユニバーサルシリアルバスを具える携帯型ストレージ装置を提供する。
【課題を解決するための手段】
【０００６】
穿孔が設けられた外殻，該外殻と連結されるキャップ，並びにストレージ回路板と発光ダイオードとユニバーサルシリアルバスを備えるストレージユニットより構成し、該ストレージユニットを該キャップと外殻とによって形成される内部空間に収容し、更に該発光ダイオード上には内カバーを設け、該外殻の穿孔上には外カバーを設け、該外カバーと内カバーとを相互に組み合わせることで構造を湿気や塵より保護する。
すなわち、本考案のユニバーサルシリアルバスを備える携帯型ストレージ装置は、以下に述べる特徴を有する。
１．外殻とストレージユニットとより構成される携帯型ストレージ装置において、
外カバーが設置されるべく穿孔が設けられており、且つキャップが連結される該外殻と、ストレージ回路板，内カバーが設けられる発光ダイオード，ユニバーサルシリアルバスを具有し、該外殻とキャップとによって形成される内部空間内に設置される該ストレージユニットと、を具有し、該外カバーと内カバーとが相互に連結されることにより、水や湿気、塵などが内部に入り込むのを防止し、同時に該発光ダイオードを見えやすく且つ確実に定位していることを特徴とする。
２．該発光ダイオードは該内カバー内に設置され、且つ該内カバーは該ストレージ回路板上に嵌設されて固定されていることを特徴とする。
【考案の効果】
【０００７】
本考案によると、効果的に塵や湿気の進入が防止され、且つ発光ダイオードが使用者にとって見やすいものとなった。
【考案を実施するための最良の形態】
【０００８】
図５から図１０に示すように、本考案の第一実施例においては、キャップ３１，外殻３２，ストレージユニット３３，外カバー３４，内カバー３５，定位リング３６より構成される。該外殻３２の上端には穿孔３２１が設けられており、該ストレージユニット３３上にはストレージ回路板３３１，発光ダイオード３３２及びユニバーサルシリアルバス（USB）３３３を具有する。該外カバー３４には上部３４１、また該内カバー３５は中空部３５１が設けられており、該定位リング３６は該ストレージユニット３３を定位するものである。
【０００９】
該発光ダイオード３３２は該裏カバー３５の中空部３５１内に設けられており、該ストレージユニット３３上のUSB３３３は該ストレージユニット３３を該外殻３２の下端にて定位するべく該定位リング３６に被覆され、また該発光ダイオード３３２上の内カバー３５と外カバー３４は相互に連結され、外れにくくなっている。該外殻３２と該キャップ３１においても相互に連結されるものであり、該ストレージユニット３３が該キャップ３１と外殻３２の内部空間内に設置されるようになっている。
【００１０】
該外カバー３４は該内カバー３５と相互に組み立てられて該外殻３２の穿孔３２１内に設置され、該外カバー３４の上部３４１の口径は該穿孔３２１よりも大きいため、塵が内部に入りにくい構造となっている。また該外カバー３４と内カバー３５が相互に組み立てられた後、該穿孔３２１を埋めてしまうことから、水や湿気も入りにくくなって該ストレージユニット３３を保護する。該発光ダイオード３３２は該裏カバー３５によって該穿孔３２１内に固定され、該発光ダイオード３３２の定位を確実にし、且つ見えやすくなっている。
【００１１】
図１１，１２に示すように、本考案における第二実施例では上述の第一実施例とほぼ同様であるが、異なる点は該発光ダイオード３２は該内カバー４５内に設置され、該内カバー４５は該ストレージ回路板３３１上に嵌設されて固定されていることより、該発光ダイオード３３２のピン３３２ａを保護し、該内カバー４５と該外カバー３４との接合過程において該ピン３３２ａに破損を来たすのを防止する。
【図面の簡単な説明】
【００１２】
【図１】公知構造における組み立て後の図である。
【図２】公知構造における局部断面図である。
【図３】もう一つの公知構造における組み立て後の図である。
【図４】もう一つの公知構造における局部断面図である。
【図５】本考案における第一実施例の立体分解図である。
【図６】本考案における第一実施例の組み立て説明図である。
【図７】本考案における第一実施例の立体組み立て完成図ある。
【図８】本考案における第一実施例の局部断面図である。
【図９】本考案の第一実施例における組み立て説明図である。
【図１０】本考案の第二実施例における組み立て後の側面図である。
【図１１】本考案の第二実施例における組み立て後の局部断面図である。
【符号の説明】
【００１３】
１１  外殻
１１１  穿孔
１１１a  内壁
１１２  隙間
１２  ストレージ装置
１２１  発光ダイオード
２１  外殻
２１１  穿孔
２２  ストレージユニット
２３  キャップ
２４  透明のチップ
１３  キャップ
３１  キャップ
３２  外殻
３２１  穿孔
３３  ストレージユニット
３３１  ストレージ回路板
３３２  発光ダイオード
３３２ａ  ピン
３３３  ユニバーサルシリアルバス
３４  外カバー
３４１  上部
３５  内カバー
３５１  中空部
３６  定位リング
【図１】
0003101294.tif 000003
【図２】
0003101294.tif 000004
【図３】
0003101294.tif 000005
【図４】
0003101294.tif 000006
【図５】
0003101294.tif 000007
【図６】
0003101294.tif 000008
【図７】
0003101294.tif 000009
【図８】
0003101294.tif 000010
【図９】
0003101294.tif 000011
【図１０】
0003101294.tif 000012
【図１１】
0003101294.tif 000013